(57)【要約】ネットワークのノードに記憶された選択された文書の表示は、ハンドヘルド装置、表示ユニット用通信装置、及び表示リクエストを取り扱う装置を本質的に含むシステムによって成し遂げられる。ハンドヘルド装置を操作することによって、ユーザは、前記通信装置から表示ユニット仕様を得ることができる。次いで、この仕様は、選択された文書に対するアドレスと共に表示リクエストを取り扱う装置へ送信される。次いで、選択された文書は、この装置で、前記通信装置の表示ユニットに適した書式に変換され、変換された文書はこのユニットで表示される。そのシステムは、情報をハンドヘルド装置からリクエストを取り扱う装置へ送信するために及びインターネット上で情報をアクセスするためにＷＡＰ技術を使用することもあり得る。更に、そのシステムは、ハンドヘルド装置と前記通信装置との間の通信に、例えば、Ｂｌｕｅｔｏｏｔｈ又はＩｒＤＡを使用することもあり得る。そのシステムは、小形ディスプレイ上に表示することができない文書を移動プリントする及び携帯アクセスすることを可能にまたする。
2004500632.tif 000002
【特許請求の範囲】
【請求項１】
情報の選択及び表示システムにおける方法であって、
表示ユニット用通信装置から短距離無線接続を経由してハンドヘルド装置に表示ユニット識別を受信するステップと、
前記ハンドヘルド装置からネットワークを経由して表示リクエストを取り扱う装置へ文書アドレスを送信するステップと、
表示リクエストを取り扱う前記装置に前記文書アドレスと表示ユニット仕様とを受信するステップと、
前記文書アドレスに対応する文書を、表示リクエストを取り扱う前記装置で、検索するステップと、
検索された文書を前記表示ユニットに適した書式に、表示リクエストを取り扱う前記装置で、変換するステップと、
表示リクエストを取り扱う前記装置からネットワークを経由して表示ユニット用前記通信装置へ変換された文書を送信するステップと、
表示ユニット用前記通信装置に前記変換された文書を受信するステップと
を含む方法。
【請求項２】
請求項１記載の方法であって、通信装置から前記短距離無線接続を経由してハンドヘルド装置に表示ユニット仕様を受信するステップと、
前記ハンドヘルド装置からネットワークを経由して表示リクエストを取り扱う装置へ前記表示ユニット仕様を送信するステップと
を更に含む方法。
【請求項３】
請求項１又は２のいずれか１つに記載の方法において、表示ユニット用前記通信装置は前記変換された文書を表示ユニット用前記通信装置に接続された表示ユニットへ渡す方法。
【請求項４】
請求項１から３のいずれか１つに記載の方法において、前記表示ユニット仕様は、少なくとも、前記表示文書が表示のために送信され得る先の表示アドレスと前記表示ユニットでの表示に適した書式を示すデータとを含む方法。
【請求項５】
先行請求項のいずれか１つに記載の方法において、前記変換するステップは
前記表示ユニット仕様を読み出すステップと、
前記文書が保存されている状態での書式を決定するステップと、
前記表示ユニット仕様の内容と前記文書が保存されている状態での前記書式とに従って変換方法を選択するステップと
選択された変換方法によって前記文書を変換するステップと
を含む方法。
【請求項６】
先行請求項のいずれか１つに記載の方法において、前記表示アドレスは電子メール・アドレスであり、及び前記変換された文書は電子メール・サーバを介して前記表示ユニットへ送信される方法。
【請求項７】
ハンドヘルド装置内のスクリーン上に情報プロバイダから検索された情報を表示するように動作可能とされた前記ハンドヘルド装置であって、
表示ユニット用通信装置との短距離無線通信用入出力インタフェースと、
短距離無線通信用前記入出力インタフェースを経由して表示ユニット識別
を受信する手段と、
表示リクエストを取り扱う装置へ文書アドレスを送信する手段と
を含む前記ハンドヘルド装置と、
表示リクエストを取り扱う装置であって、
ハンドヘルド装置から、表示されることになっている文書を指示する文書
アドレスを受信する手段と、
表示ユニット仕様を受信する手段と、
前記文書アドレスに対応する文書を検索する手段と、
検索された文書を前記表示ユニット仕様に従って前記表示ユニットに適し
ている書式に変換する手段と、
表示アドレスへ変換された文書を送信する手段と
を含む表示リクエストを取り扱う前記装置と、
表示ユニット用通信装置であって、
ハンドヘルド装置との短距離無線通信用入出力インタフェースと、
短距離無線通信用前記入出力インタフェースを経由して表示ユニット識別
を送信する手段と、
表示ユニットによって表示される情報を受信する手段と
を含む前記表示ユニット用通信装置と
を含む情報の選択及び表示システム。
【請求項８】
請求項７記載のシステムにおいて、前記ハンドヘルド装置は、
短距離通信用前記入出力インタフェースを経由して表示ユニット仕様を受信する手段と、
表示リクエストを取り扱う前記装置へ受信された表示ユニット仕様を送信する手段と
を更に含み、
及び前記通信装置は
短距離通信用前記入出力インタフェースを経由して表示ユニット仕様を送信する手段
を更に含むシステム。
【請求項９】
請求項７又は８のいずれか１つに記載のシステムにおいて、前記表示ユニット仕様は、少なくとも、前記表示文書が表示のために送信され得る先の表示アドレスと前記表示ユニットでの表示に適した書式を表示するデータとを含むシステム。
【請求項１０】
請求項７から９のいずれか１つに記載のシステムにおいて、前記変換する手段は
、複数の変換手段と、
前記表示ユニット仕様に従って前記複数の変換手段のうちの１つの変換手段を選択する手段と
を含むシステム。
【請求項１１】
請求項１０記載のシステムにおいて、前記変換する手段は　前記文書の書式を決定する手段と、
前記文書の前記書式を翻訳する手段と
を更に含むシステム。
【請求項１２】
請求項７から１１のいずれか１つに記載のシステムにおいて、表示ユニット用前記通信装置はネットワークを通じる通信用入出力インタフェースを具備するシステム。
【請求項１３】
請求項１２記載のシステムであって、電子メール・サーバを更に含み、前記表示アドレスは電子メール・アドレスであるシステム。
【請求項１４】
表示リクエストを取り扱う装置に関する方法であって、
表示されることになっている文書を指示する文書アドレスを受信するステップと、
表示ユニット仕様を受信するステップと、
前記文書アドレスに対応する文書を検索するステップと、
検索された文書を前記表示ユニットに適している書式に変換するステップと、
変換された文書を送信するステップと
を含む方法。
【請求項１５】
請求項１４記載の方法において、前記表示ユニット仕様は、少なくとも、前記表示文書が表示のために送信され得る先の表示アドレスと前記表示ユニットでの表示に適した書式を示すデータとを含む方法。
【請求項１６】
請求項１４から１５のいずれか１つに記載の方法において、前記文書アドレスと前記表示ユニット仕様とはネットワークを経由して受信される方法。
【請求項１７】
請求項１４から１６のいずれか１つに記載の方法において、前記変換するステップは
前記表示ユニット仕様を読み出すステップと、
前記文書が保存されている状態での書式を決定するステップと、
前記表示ユニット仕様の内容と前記文書が保存されている状態での前記書式とに従って変換方法を選択するステップと、
選択された変換方法によって前記文書を変換するステップと
を含む方法。
【請求項１８】
請求項１４から１７のいずれか１つに記載の方法において、前記検索された文書はプリンタによるプリンティングに適した書式に変換される方法。
【請求項１９】
請求項１４から１８のいずれか１つに記載の方法において、変換された文書は表示装置によって表示されるためにネットワークを通じて送信される方法。
【請求項２０】
請求項１９記載の方法において、前記変換された文書は前記表示装置宛に電子メールによって送信される方法。
【請求項２１】
請求項１９記載の方法において、前記変換された文書は表示ユニットへ送信される方法。
【請求項２２】
表示リクエストを取り扱う装置であって、
表示されることになっている文書を指示する文書アドレスを受信する手段と、
表示ユニット仕様を受信する手段と、
前記文書アドレスに対応する文書を検索する手段と、
検索された文書を前記表示ユニット仕様に従って前記表示ユニットに適している書式に変換する手段と、
表示ユニットへ変換された文書を送信する手段と
を含む装置。
【請求項２３】
請求項２２記載の装置において、前記表示ユニット仕様は、少なくとも、前記表示文書が表示のために送信され得る先の表示アドレスと前記表示ユニットでの表示に適した書式を示すデータとを含む装置。
【請求項２４】
請求項２２又は２３のいずれか１つに記載の装置において、文書アドレスを前記受信する手段と表示ユニット仕様を前記受信する手段とはネットワークを通じて前記アドレスと前記仕様とを受信するように構成されている装置。
【請求項２５】
請求項２２から２４のいずれか１つに記載の装置において、前記変換する手段は
、複数の変換手段と、
前記表示ユニット仕様に従って前記複数の変換手段のうちの１つの変換手段を選択する手段と
を含む装置。
【請求項２６】
請求項２５記載の装置において、前記変換する手段は
前記文書の書式を決定する手段と、
前記文書の前記書式を翻訳する手段と
を更に含む装置。
【請求項２７】
請求項２２から２６のいずれか１つに記載の装置において、文書アドレスを前記受信する手段と表示ユニット仕様を前記受信する手段とはネットワークを経由して前記データを受信するように構成されており、かつ
変換された文書を前記送信する手段はネットワークを経由して前記データを送信するように構成されている
装置。
【請求項２８】
ディジタル・コンピュータのメモリ内へ直接にロード可能なコンピュータ・プログラム製品であって、前記製品がコンピュータ上でランされるとき請求項１４のステップを遂行するソフトウェア・コード部分を含むコンピュータ・プログラム製品。
【請求項２９】
表示ユニット用通信装置に関する方法であって、
識別を送信するステップと、
前記識別を送信した後、前記表示ユニットによる表示のために文書を受信するステップと
を含む方法。
【請求項３０】
請求項２９記載の方法であって、
表示ユニット仕様のリクエストを受信するステップと、
前記リクエストを受信した後、リクエストされた仕様を送信するステップと、
前記リクエストされた仕様を送信した後、前記表示ユニットによる表示のために文書を受信するステップと
を更に含む方法。
【請求項３１】
請求項２９又は３０記載の方法において、受信されたリクエストは短距離無線接続を通じて受信される、及び前記リクエストされた仕様は短距離無線接続を経由して送信される方法。
【請求項３２】
請求項２９から３１のいずれか１つに記載の方法において、前記受信された文書はネットワークを経由して受信される方法。
【請求項３３】
請求項２９から３２のいずれか１つに記載の方法であって、前記表示ユニットに前記受信された文書を表示させるステップを更に含む方法。
【請求項３４】
請求項３３記載の方法において、前記表示装置に前記受信された文書を前記表示させるステップは前記文書をプリンタ内のプリントアウト・プロセスへ渡すことを含む方法。
【請求項３５】
請求項２９から３４のいずれか１つに記載の方法であって、所定時間間隔で表示文書についてメール・ボックスを検査するステップを含む方法。
【請求項３６】
表示ユニット用通信装置であって、
短距離無線通信用入出力インタフェースと、
短距離無線通信用前記入出力インタフェースを経由して表示ユニット識別を送信する手段と、
表示ユニットによって表示される情報を受信する手段と、
前記表示ユニットに受信された情報を表示させる手段と
を含む表示ユニット用通信装置。
【請求項３７】
請求項３６記載の装置であって、
短距離無線通信用前記入出力インタフェースを経由して表示ユニット仕様に関するリクエストを受信する手段と、
前記表示ユニット仕様を送信する手段と
を更に含む装置。
【請求項３８】
請求項３６から３７のいずれか１つに記載の装置であって、ネットワーク接続用入出力インタフェースを更に含む装置。
【請求項３９】
請求項３６から３８のいずれか１つに記載の装置において、前記表示ユニットはプリンタである装置。
【請求項４０】
ハンドヘルドユニットから分離した表示ユニット上に情報を表示するために、ハンドヘルド装置内のディスプレイ上に情報プロバイダから検索された情報を表示するように動作可能とされた前記ハンドヘルド装置に関する方法であって、
前記表示ユニット用通信装置から短距離無線接続を経由して表示ユニット識別を受信するステップと、
表示リクエストを取り扱う装置へ選択された情報文書のアドレスを送信するステップと
を含む方法。
【請求項４１】
請求項４０記載の方法であって、
前記通信装置から前記短距離無線接続を経由して表示ユニット仕様を受信するステップと、
表示リクエストを取り扱う前記装置へ前記表示ユニット仕様を送信するステップと
を含む方法。
【請求項４２】
請求項４１記載の方法であって、識別された表示ユニットの選択に対する応答として前記短距離無線接続を経由して表示ユニット仕様をリクエストするステップを更に含む方法。
【請求項４３】
請求項４０から４２のいずれか１つに記載の方法であって、近くの表示ユニットの識別用に前記短距離無線接続を経由して識別性リクエストを放送するステップを更に含む方法。
【請求項４４】
ハンドヘルド・ユニットから分離した表示ユニット上に情報を表示するために、ハンドヘルド装置内のディスプレイ上に情報プロバイダから検索された情報を表示するように動作可能とされた前記ハンドヘルド装置であって、
短距離通信用入出力インタフェースと、
短距離通信用前記入出力インタフェースを経由して表示ユニット識別を受信する手段と、
前記表示ユニット上に表示される前記情報プロバイダからアクセス可能な前記情報を選択する手段と、
前記情報ユニット上に前記情報を表示することに対するリクエストを送信する手段と
を含むハンドヘルド装置。
【請求項４５】
請求項４４記載のハンドヘルド装置であって、
短距離通信用前記入出力インタフェースを経由して表示ユニット仕様を受信する手段と、
前記表示ユニット仕様を送信する手段と
を含むハンドヘルド装置。
【請求項４６】
請求項４４から４５のいずれか１つに記載のハンドヘルド装置であって、短距離通信用前記入出力インタフェースを経由して識別性リクエストを放送する手段を更に含むハンドヘルド装置。
【発明の詳細な説明】
【０００１】
（発明の技術分野）
本発明は、電子的に記憶された情報をネットワークを経由して表示ユニット上に表示するシステム及び方法に関する。
【０００２】
（発明の背景）
今日、多量の情報がイントラネット及びインターネットのようなネットワークを通じてアクセス可能である。ユーザの特定グループにだけアクセス可能であることになっている情報にさえも安全保証（ｓｅｃｕｒｅ）通信チャネル及びいろいろと異なった識別方法によってこれらのネットワークを通じてアクセスすることができる。
【０００３】
情報を近くの表示ユニット上に表示させるためは、ユーザはその情報がネットワーク内でアクセス可能であるそのネットワークにコンピュータをアクセスさせかつ表示ユニットをそのコンピュータに接続させなければならない。それゆえ、ずいぶんと動き回りかつ、例えば、会社サーバ上に記憶された情報にアクセスする必要がある人々は、所望情報にアクセスすることができるコンピュータを携帯しなくてはならない。更に、彼らは、携帯モデムを携帯しかつネットワーク接続にアクセスを取らなければならない。
【０００４】
情報へのアクセスは、例えば、ワイアレス・アプリケーション・プロトコル（Ｗｉｒｅｌｅｓｓ　Ａｐｐｌｉｃａｔｉｏｎ　Ｐｒｏｔｏｃｏｌ；　ＷＡＰ）、パーソナル・ディジタル・アシスタント（Ｐｅｒｓｏｎａｌ　Ｄｉｇｉｔａｌ　Ａｓｓｉｓｔａｎｔ；　ＰＤＡ）又は類似の装置を実施するセルラ電話によって成し遂げることができる。それで、ユーザは、そのセルラ電話上に表示可能な書式で表示された情報にアクセスを取る。しかしながら、情報が多量のテキストを含むテキスト文書、例えば、特許出願、又は修理する機械の青写真であるならば、情報はセルラ電話上に表示することは適当でない及びしばしば不可能でさえある。たとえ電話が通信用正規インターネット・プロトコル（Ｉｎｔｅｒｎｅｔ　Ｐｒｏｔｏｃｏｌ；　ＩＰ）接続を使用する能力があっても、情報は電話又はＰＤＡの小寸法スクリーンに適合していなければならなず、それゆえ、ユーザがこのような文書を概観する又は読むことさえ非常に困難である。
【０００５】
（発明の概要）
本発明の目的は、たとえ情報が小形ディスプレイ上で容易に読むのに適していない形にあっても、人がその情報を読みかつ概観するのに容易である形にして彼に表示することを可能にすることである。
【０００６】
他の目的は、上述の特性の情報にアクセスすることを必要とする人々の移動性を高めることである。
【０００７】
なお他の目的は、人々が遠隔位置に電子的に記憶されている文書にアクセスすることを可能にすることである。
【０００８】
これらの目的は、請求項１記載のシステム内での方法、請求項６記載のシステム、請求項１２記載の表示リクエストを取り扱う装置に関する方法、請求項２０記載の表示リクエストを取り扱う装置、請求項２６記載のコンピュータ・プログラム製品、請求項２７記載の通信装置に関する方法、請求項３３記載の通信装置、請求項３６記載のハンドヘルド装置に関する方法、又は請求項３９記載のハンドヘルド装置によって成し遂げられる。本発明の好適実施の形態は、従属項に開示されている。
【０００９】
更に特に、本発明の１態様に従って、情報の選択及び表示システム内での方法は、
表示ユニット用通信装置から短距離無線接続を経由してハンドヘルド装置に表示ユニット識別を受信するステップ、
ハンドヘルド装置からネットワークを経由して表示リクエストを取り扱う装置へ文書アドレスを送信するステップ、
表示リクエストを取り扱う装置に前記文書アドレスと表示ユニット仕様を受信するステップ、
前記文書アドレスに対応する文書を、表示リクエストを取り扱う装置で、検索するステップ、
検索された文書を表示ユニットに適した書式に、表示リクエストを取り扱う装置で、変換するステップ、
表示リクエストを取り扱う装置からネットワークを経由して表示ユニット用通信装置へ変換された文書を送信するステップ、及び
表示ユニット用通信装置に前記変換された文書を受信するステップ
を含む。
【００１０】
本発明の他の態様に従って、情報の選択及び表示システムは、
ハンドヘルド装置内のスクリーン上に情報プロバイダから検索された情報を表示するように動作可能とされたハンドヘルド装置であって、
表示ユニット用通信装置との短距離無線通信用入出力インタフェース、
短距離無線通信用前記入出力インタフェースを経由して表示ユニット識別
を受信する手段、及び
表示リクエストを取り扱う装置へ文書アドレスを送信する手段
を含むこのハンドヘルド装置、
表示リクエストを取り扱う装置であって、
ハンドヘルド装置から、表示されることになっている文書を指示する文書
アドレスを受信する手段、
表示ユニット仕様を受信する手段、
文書アドレスに対応する文書を検索する手段、
検索された文書を表示ユニット仕様に従って表示ユニットに適している書
式に変換する手段、及び
表示アドレスへ変換された文書を送信する手段
を含む表示リクストを取り扱うこの装置、及び
表示ユニット用通信装置であって、
ハンドヘルド装置との短距離無線通信用入出力インタフェース、
短距離無線通信用前記入出力インタフェースを経由して表示ユニット識別
を送信する手段、
表示ユニットによって表示される情報を受信する手段
を含むこの表示ユニット用通信装置
を含む。
【００１１】
本発明に従うシステムは、上に説明した問題を解決する。或る種の文書の必要が生じると、このシステムのユーザは、彼のハンドヘルド装置を取り上げなければならないだけで、それに文書が識別されるページを表させ、表示ユニット上の表示のために前記ページ上の所望の文書を選択させ、近くの表示ユニット用通信装置を識別させ、次いで前記表示ユニット上に文書を表示させる。文書は、それを識別するアドレスがある限りネットワークのいずれのノードにおいても位置検出することができる。文書に対するアドレスはハンドヘルド装置から表示リクエストを取り扱う装置へ送信され、表示ユニットの仕様はハンドヘルド装置又は表示ユニットの通信装置のどちらかから表示リクエストを取り扱う装置へ送信され、次いで文書は表示ユニットが理解する書式で表示ユニットへ送信されることになる。
【００１２】
そのシステムは、本質的にいかなる種類の文書をも本質的にいかなる種類の表示装置上にも表示させることができるので有利である。更に、そのシステムは、この利点を備えるのに、種々の文書形式及び種々の表示ユニットに対する変換手段を記憶するためにそのハンドヘルド装置内又はその表示ユニット用通信装置内にいかなる追加のメモリも必要とすることはない。これは、リクエストされた文書を表示リクエストを取り扱う装置内で変換させることによって達成される。
【００１３】
表示リクエストを取り扱う装置内でこの変換を遂行することの他の利点は、ハンドヘルド装置も通信装置もどちらもその正規動作をこの変換によって不利に影響されないことである。
【００１４】
表示リクエストを取り扱う装置内でこの変換を遂行することのなお他の利点は、文書をハンドヘルド装置に必ず送信する要はない、少なくともそれが変換される前には送信する要はないことである。これは、表示リクエストを取り扱う装置に、ハンドヘルド装置から受信された文書アドレスに基づいて、リクエストされた文書を検索させることによって達成され、したがって、ハンドヘルド装置は、表示リクエストを取り扱う装置に文書を利用可能とさせるために、文書アドレスを通信するだけでよい。それゆえ、表示リクエストを取り扱う装置に文書を検索させることによって、帯域幅はハンドヘルド装置への通信経路上で節約される。
【００１５】
表示リクエストを取り扱う装置でこの変換を遂行すること、かつ、それゆえ、変換用手段をこの位置に位置させることの更に利点は、変換用新手段を追加する又は変換用旧手段を交換するプロセスが大いに簡単化されることである。したがって、１つの理由は、表示リクエストを取り扱う装置よりも多くの数のハンドヘルド装置又は表示ユニットが存在することになり、それによって管理者にとって表示リクエストを取り扱う装置での変換手段の品質改善を遂行することがより容易であることになる。他の理由は、ハンドヘルド装置がネットワークにおそらく終始は接続されないことである。それゆえ、もしも変換手段がハンドヘルド装置内に配置されているとしたならば、ユーザはその更新を個人的に遂行することを要求されるはずである。
【００１６】
そのシステムはまた、短距離通信リンクの効用で、ハンドヘルド装置が近くの表示ユニットとデータを交換することができかつまたそれらのユニットを識別することができるという点で有利である。それゆえ、ユーザは、表示ユニットを手動で識別することかつ表示ユニットを利用するために必要なデータを打ち込むことに悩まないで済む。結果として、ユーザは、表示を成し遂げるために要するパラメータを探索することを必要としない。これらの利点は、ハンドヘルド装置と表示ユニット用通信装置との間に確立されている単距離通信リンクによって成し遂げられる。単距離通信リンクは、Ｂｌｕｅｔｏｏｔｈ、ＩｒＤＡ、Ｏｐｅｎ　Ａｉｒ、Ｈｏｍｅ　ＲＦ、Ｈｉｐｅｒ　ＬＡＮ、ＩＥＥＥ　８０２．１１等を使用して実施される。
【００１７】
本発明の文脈の中で、表示ユニットは、ハンドヘルド装置の小形ディスプレイ上で満足に表示することができない電子的に表される情報を表示することができる装置を表す。表示ユニットは、例えば、スクリーン、やや大形ディスプレイ、電子ブック（ｅ−ｂｏｏｋ）、電子ピクチャ・フレーム（ｅｌｅｃｔｒｏｎｉｃ　ｐｉｃｔｕｒｅ　ｆｒａｍｅ）、又はプリンタである。
【００１８】
本発明の好適実施の形態に従って、表示ユニットは、高度に携帯性である媒体上又は内に電子文書の複写を作成する装置である。その場合、表示ユニットは、例えば、在来プリンタ、又は電子的に制御可能媒体、例えば、電子ブック、電子ピクチャ・フレーム等であり得る。
【００１９】
好適実施の形態では、表示ユニットはプリンタである。プリント可能媒体上にプリンタを介して情報を表示することによって、情報を高解像度で表示させることが可能でありかつ情報を概観することが容易である。プリンタを表示ユニットとして使用することの他の利点は、プリントされた書式が周知でありかつ本質的にいかなる人にも利用するのに容易であること及びプリントされた文書はコメントやサインを付けるのが容易であり、これらは依然ほとんどの契約に要求されていることである。
【００２０】
情報サービス・プロバイダは、ネットワーク上の拾い読み可能（ｂｒｏｗｓａｂｌｅ）情報、例えば、電子的に記憶された文書、電子メール、製図、青写真等にアクセスを許すシステムである。情報サービス・プロバイダは、例えば、会社の文書を従業員又はそれらにアクセスを許されている他の人々にサービスするインターネット・ポータル又はサーバであり得る。会社の文書をサービスするサーバは、例えば、ユニファイド・メッセージング・サーバ（ｕｎｉｆｉｅｄ　ｍｅｓｓａｇｉｎｇ　ｓｅｖｅｒ）のようなシステムである。
【００２１】
ハンドヘルド装置は、ネットワークを通じてかつネットワークのノードで発見された情報を、少なくともテキストの形でしかしまたおそらくはピクチャの形で表すように動作可能とされている装置である。更に、それは、好適には、ユーザがそれを片手に保持しながら他の手で操作することができるような寸法のものである。その装置は、例えば、セルラ電話、ＰＤＡ、又は小形コンピュータであり得る。好適実施の形態では、その装置は、ネットワーク上の利用可能な情報を表示しかつ拾い読みするブラウザを具備する。
【００２２】
本発明の文脈の中で、ネットワークは、例えば、電話用通信ネットワーク、広域ネットワーク（Ｗｉｄｅ　Ａｒｅａ　Ｎｅｔｗｏｒｋ；　ＷＡＮ）、ローカル・エリア・ネットワーク（Ｌｏｃａｌ　Ａｒｅａ　Ｎｅｔｗｏｒｋ；　ＬＡＮ）、インターネット、又はイントラネットである。
【００２３】
本発明の好適実施の形態では、情報の探索又は選択は、ハンドヘルド装置から無線電話ネットワーク及びハンドヘルド装置に情報サービス・プロバイダへのアクセスを与えるネットワーク運用者の局を経由して遂行され、情報サービス・プロバイダにはその局で直接にアクセスすることも又はネットワークを経由してアクセスすることもできる。この実施の形態では、ハンドヘルド装置は、セルラ電話でありかつユーザはその電話が電話運用者のネットワークとの接触を確立することができている限り情報を探索することができる。この実施の形態は、情報をほとんどいずれの位置においても利用可能とし、ユーザにどこにいようと文書を探索することを許す利点を有する。それで、文書が見つかると、ユーザは、文書の表示のためにその電話と表示ユニット用通信装置との間に短距離通信リンクを確立することができる位置へ移動することができる。
【００２４】
本発明の他の好適実施の形態では、情報の選択又は探索は、ハンドヘルド装置から短距離通信リンクと表示ユニット用通信装置を経由して遂行される。この実施の形態では、通信装置はインターネット、イントラネット、又は他のコンピュータ・ネットワークへのアクセス点を用意しており、これから情報サービス・プロバイダにアクセスすることができる。この実施の形態のハンドヘルド装置は、例えば、ＰＤＡ又は小形コンピュータであり得る。この実施の形態の利点は、ハンドヘルド装置が情報の探索又は選択に短距離通信リンクの外にいかなる他の接続も必要としないことである。
【００２５】
好適実施の形態に従って、表示リクエストを取り扱う装置は、情報サービス・プロバイダ内のモジュールである。表示リクエストを取り扱う装置を情報サービス・プロバイダ内のモジュールとして用意することによって、その装置は、情報サービスと機能性を共用しかつこれとインタフェースすることができる。更に、情報サービス・プロバイダが機密情報をサービスするならば、表示用文書の安全保証は容易に維持される。
【００２６】
そのシステムは、表示ファイルを送信するために異なった経路を利用することができ、このフィルは適当な書式に変換されたリクエストされた文書である。それら経路の全て又はそれら経路の１つ又はいくつかだけを支持する装置を製造することは、可能である。それゆえ、下に説明する表示リクエストを取り扱う装置から表示ユニットへの経路は、全て、或る１つの装置によって支持することができる。
【００２７】
本発明の１好適実施の形態では、表示ファイルは、表示リクエストを取り扱う装置から表示ユニット用通信装置へ少なくともセルラ電話、ハンドヘルド装置、及び短距離通信リンクを経由して送信される。この実施の形態の１利点は、たとえ表示ユニット用通信装置がネットワーク接続を欠いていても表示ファイルを表示ユニットへ送信することができることである。他の利点は、表示ファイルの送信用経路が文書と表示ユニットの選択中に既に確立されており、それゆえ、ユーザは表示ファイルを表示ユニットへ送信する経路があることを確信することができることである。
【００２８】
本発明の他の実施の形態では、表示ファイルは、表示リクエストを取り扱う装置から表示ユニット用通信装置へインターネット及び／又はイントラネットのようなネットワークを経由して送信される。この実施の形態の利点は、伝送のデータ転送速度が非常に高いことである。この実施の形態の他の利点は、ユーザは表示を待機しているとき他のタスクを遂行するためにそのハンドヘルド装置を使用することができることである。
【００２９】
本発明のなお他の実施の形態では、表示ファイルが表示リクエストを取り扱う装置から表示ユニット用通信装置へ電子メールによって送信される。この実施の形態の利点は、防火壁の背後に配置されている表示ユニット上に表示ファイルを表示することに支障がないこと及び伝送のデータ転送速度が非常に高いことである。１実施の形態に従って、表示ファイルを含む電子メールが表示ユニット宛電子メールを取り扱うメール・サーバへ送信される。次いで、メール・サーバが新たにサービスされる電子メールに関して通知を通信装置へ送信するか又は通信装置が新メールについてメール・サーバを頻繁に検査するかのいずれかである。
【００３０】
本発明の１態様に従って、ネットワークのノードに記憶された、選択された文書の表示は、ハンドヘルド装置、表示ユニット用通信装置、及び表示リクエストを取り扱う装置を本質的に含むシステムによって成し遂げられる。ハンドヘルド装置を操作することによって、ユーザは、前記通信装置から表示ユニット仕様を得ることができる。次いで、この仕様は、選択された文書のアドレスと共に、表示リクエストを取り扱う装置へ送信される。この装置では、選択された文書が、次いで、前記通信装置の表示ユニットに適した書式に変換され、変換された文書は表示ユニットで表示される。そのシステムは、情報をハンドヘルド装置から表示リクエストを取り扱う装置へ送信するために及びインターネット上で情報にアクセスするためにＷＡＰ技術を使用することもあり得る。更に、そのシステムは、ハンドヘルド装置と前記通信装置との間の通信用に、例えば、Ｂｌｕｅｔｏｏｔｈ又はＩｒＡＤを使用することもあり得る。そのシステムはまた、小形ディスプレイ上に表示することができない文書に対して移動プリンティング及び携帯アクセスを可能にする。
【００３１】
更に、表示ユニット用通信装置は、ハンドヘルド装置に記憶された簡単な情報ファイルを短距離通信を経由して受信しかつその簡単な情報ファイルを表示ユニットへ渡すように構成されることもあり得る。このようなファイルは、例えば、ＷＡＰページ、電話番号のリスト、アドレス・リスト等の情報を含むテキスト・ファイルであり得る。表示のためにこのような情報の送信を開始するには、ハンドヘルド装置は、そのメニューの１つに「表示（ｐｒｅｓｅｎｔ）」又は「プリント（ｐｒｉｎｔ）」コマンドを具備しており、かつこの動作を遂行する専用のボタンを具備することもまたあり得る。
【００３２】
本発明の適用性（ａｐｐｌｉｃａｂｉｌｉｔｙ）の更に範囲は、下に与える詳細な説明から明らかになる。しかしながら、いうまでもなく、本発明の詳細な説明及び特定例は、その好適実施の形態を示す限り、例示としてのみ与えられる。というのは、本発明の精神と範囲に則する種々の変更と変形はこの詳細な説明から当業者に明らかになるからである。
【００３３】
本発明の他の特徴と利点は、添付図面を参照しての、現在好適実施の形態の次の詳細な説明から明らかになる。
【００３４】
（現在好適実施の形態の詳細な説明）
図１に、文書表示システムの好適実施の形態を示す。そのシステムは、少なくとも１つのセルラ電話１００、少なくとも１つの情報サービス・プロバイダ２００、及び表示ユニット用、図１では３００ａと３００ｂによって表された、少なくとも１つの通信装置３００を含む。
【００３５】
セルラ電話１００は、無線ネットワーク１４、例えば、ＧＳＭネットワーク、ＴＤＭＡネットワーク、又はセルラ電話用他の無線ネットワーク、及びネットワーク１０への無線アクセスを提供するネットワーク運用者の局１２を経由して、ネットワーク１０、例えば、インターネット、イントラネット、ワイド・エリア・ネットワーク（ＷＡＮ）、ローカル・エリア・ネットワーク（ＬＡＮ）に接続される。ネットワーク１０へのアクセスは、無線電話ネットワークを通じて情報を通信するための、例えば、ワイアレス・アプリケーション・プロトコル（Ｗｉｒｅｌｅｓｓ　Ａｐｐｌｉｃａｔｉｏｎ　Ｐｒｏｔｏｃｏｌ；　ＷＡＰ）、ハイパー・テキスト・トランスポート・プロトコル（Ｈｙｐｅｒ　Ｔｅｘｔ　Ｔｒａｎｓｐｏｒｔ　Ｐｒｏｔｏｃｏｌ；　ＨＴＴＰ）、又は或る他のプロトコルを実施するゲートウェイを局１２に具備することによって成し遂げられる。更に、セルラ電話１００は、Ｂｌｕｅｔｏｏｔｈのような、短距離無線通信用インタフェースを具備する。
【００３６】
情報サービス・プロバイダ２００は、局１２に直接に接続されるか又はネットワーク１０に接続されるかのどちらかである。しかしながら、情報サービス・プロバイダ２００は、ネットワーク１０への或るアクセスを有するはずである。情報サービス・プロバイダ２００は、インターネット・ポータル又は会社の文書をサービスするサーバのどちらかであり、かつ文書、電子メール、及び／又は電話１００に適した書式でのネットワーク上の拾い読み可能情報へのアクセスを用意している。プリント・サービス装置２１０は、好適には、情報サービス・プロバイダ２００に組み込まれているが、しかし情報サービス・プロバイダ２００の外部に位置させられていてもよい。プリント・サービス装置２１０は、プリントされる文書のリクエストを取り扱いかつ情報サービス・プロバイダ内で実行されるソフトウェア・コードとして好適には実施される。
【００３７】
通信装置３００ａ、ｂは、プリンタ３８０をネットワーク１０に接続している。通信装置は、例えば、プリント・サーバ内で実施することもできる。それは、外部装置３００ａとして、内部装置３００ｂとして、又は埋込み装置３００ｂとしてのいずれかでプリンタに接続することができる。それは、Ｂｌｕｅｔｏｏｔｈのような短距離通信用インタフェースを具備する。通信装置３００ａ、ｂの主タスクは、プリントするために通信装置の１つに送信されたプリント・ファイルがプリントされることを保証すること及びセルラ電話にプリンタ仕様を供給することである。他の実施の形態では、通信装置は、セルラ電話から文書アドレスを受信しかつ次いで通信装置は文書アドレスとプリンタ仕様を情報サービス・プロバイダへ送信する。プリンタ仕様は、プリントされることになっているプリント・ファイルに対する輸送ルートに関するデータ、プリンタの特性を含み、かつ下に更に詳細に説明する。
【００３８】
プリンタ・サービス装置２１０と通信装置３００ａ、ｂとの間でのプリント・ファイル輸送ルートは、どんな種類の通信装置がプリント・ファイルを受信するように構成されているか次第で、異なった型式のものであり得る。１つのルートは、ＩＰプロトコルを使用してネットワーク１０を通じてプリント・ファイルを通信装置３００ａ、ｂの１つに直接に送信することである。この目的のために、アフィル・トランスファー・プロトコル（Ｆｉｌｅ　Ｔｒａｎｓｆｅｒ　Ｐｒｏｔｏｃｏｌ；　ＦＴＰ）、インターネット・プリンティング・プロトコル（Ｉｎｔｅｒｎｅｔ　Ｐｒｉｎｔｉｎｇ　Ｐｒｏｔｏｃｏｌ；　ＩＰＰ）等を使用することができる。他のルートは、電子メール内のプリント・ファイルを、例えば、ＳＭＴＰ又はＩＭＴＰによって、選択された通信装置３００ａ、ｂに専用の電子メール・アドレスへ送信することである。次いで、電子メールは電子メール・サーバ３９０へ回送され、このサーバが選択された通信装置３００ａ、ｂにプリント・ファイルを供給する。なお他のルートは、例えば、ＩＰプロトコル及び／又はＷＡＰプロトコル、例えば、ワイアレス・セッション・プロトコル（Ｗｉｒｅｌｅｓｓ　Ｓｅｓｓｉｏｎ　Ｐｒｏｔｏｃｏｌ；　ＷＳＰ）のようなもの、によってプリント・ファイルをセルラ電話１００に返送し、かつ短距離通信２０用インタフェースを経由してプリント・ファイルを選択された通信装置３００ａ、ｂへ送信することである。
【００３９】
図２、３、及び４に前記異なった通信装置実施を示す。これらの図はまた、本発明の１実施の形態のより詳細を示す。例えば、ネットワークはインターネット１１として描かれかつプリンタのサイトはフレーム５０によって囲まれ、これはプリンタの近くの環境（ｓｕｒｒｏｕｎｄｉｎｇｓ）を定める。通信装置３００の近くの環境は、この実施の形態では、オフィス又はビルディング、又は電話１００の短距離通信２０が通信装置３００によって受信することができるゾーンに限定される会社のＬＡＮと見られるものとする。図２と３に例示したように、インターネットに接続されている会社ＬＡＮは、そのＬＡＮへの無許可アクセスの危険を減らすために防火壁５２のような安全保証システムを経由してインターネットに常時接続されている。更に、２００として一般に指示された、３つの可能な情報サービス・プロバイダ２００ａ〜ｃが示してあり、１つは局１２で運用者によって用意され、１つはインターネット・ポータル６２として用意され、及び１つは会社文書を従業員にサービスするために会社６０によって用意される。全て３つの図面で、プリントする文書をリクエストする手順は同じであってよく、現在通信装置実施に従って仕様中のデータの変動が伴うだけである。
【００４０】
図２は、プリント・ファイルを電子メールとして受信する通信装置実施を示す。電子メールは、２１０として一般に指示された、プリント・サービス装置２１０ａ〜ｃの１つから、インターネット１１、防火壁５２、及び最後にＬＡＮを経由して電子メール・サーバヘ送信される。電子メールに含まれたプリント・ファイルがメール・サーバ３９０に受信されると、それはプリントするために通信装置３００へ送信される。電子メールをプリント・ファイルの担体として使用することによって、プリント・ファイルを防火壁５２に通すという起こり得る問題が回避される。
【００４１】
図３は、プリント・ファイルをインターネット、防火壁、及びネットワーク接続を経由してプリント・サービス装置２１０ａ〜ｃの１つから受信する通信装置実施を示し、ネットワーク接続はＬＡＮ又は単一インターネット・アクセス点であってもよい。この実施の形態では、プリント・ファイルは、通信装置３００に直接に宛てられる。
【００４２】
図４は、プリント・ファイルを少なくとも無線電話ネットワーク１４、電話１００、及び短距離無線リンク２０を経由してプリント・サービス装置２１０ａ〜ｃの１から受信する通信装置実施を示す。この実施の形態では、運用者のサイトに位置させられたプリント・サービス装置２１０ａが利用されるならば、プリント・ファイルはインターネットを通じて送信されるには及ばないが、しかしインターネットが適しているならば、それを使用することができる。この通信装置実施は、ネットワーク接続がないならば又は通信装置をネットワークに接続しない他の理由があるならば、好適である。
【００４３】
図５は、プリント・サービス装置２１０の実施の形態を示す。プリント・サービス装置２１０は、文書をプリントすることに対するリクエストを受信する手段２１２を具備する。リクエストは、文書がどこに位置しているかを示す文書アドレス、及びプリンタ仕様を含む。プリンタ仕様は、例えば、プリンタ・ファイルをいかにプリンタへ送信するか、製造業者、及びプリンタのモデルに関する情報を含み、更に詳細は下に説明する。リクエストは、リクエストを受信する手段２１２から制御手段２１４へ渡される。次いで、制御手段２１４は、リクエストから文書アドレスを抽出しかつそれを文書検索手段２１６へ渡す。
【００４４】
次いで、文書検索手段２１６は、情報プロバイダのアクセス受けるメモリ２３０内の指定されたアドレスから文書を検索する。メモリ２３０は、情報サービス・プロバイダの記憶装置又はインターネットやイントラネットのようなネットワークに接続されたかつこれを経由してアクセス可能ないずれかのメモリであってよい。制御手段２１４は、検索された文書及びプリンタ仕様の適当な装置ドライバ２２０を選択するためのデータを含む部分を文書変換手段２１８に渡す。
【００４５】
文書変換手段２１８は、文書が保存されていた状態での書式を見付け出すために検索された文書を検査する。書式を検査する最も簡単な方法は、ファイル拡張子（ｆｉｌｅ　ｅｘｔｅｎｓｉｏｎ）、例えば、普通テキスト・ファイルについてなら「．ｔｘｔ」、Ｍｉｃｒｏｓｏｆｔ（Ｒ）　Ｗｏｒｄファイルについてなら「．ｄｏｃ」、Ａｃｒｏｂａｔ（Ｒ）　Ｒｅａｄｅｒファイルについてならば「．ｐｄｆ」、Ｔａｇｇｅｄ　Ｉｍａｇｅ　Ｆｉｌｅについてならば「．ｔｉｆ」、ｐｏｓｔｓｃｒｉｐｔファイルについてならば「．ｐｓ」、ＡｕｔｏＣａｄ（Ｒ）ファイルについてならば「．ｄｗｇ」等を読み出しかつ翻訳することである。しかしながら、ファイルの拡張子を検査するだけでは、書式を学習するにはやや不確かな方法である。なぜならば、その拡張子は誤っていることもあり得る又は他のプログラムが同じ拡張子を使用することもあり得るからである。したがって、好適実施の形態では、ファイルの内容がそのファイルの書式を示す部分について検査される。文書書式が決定されると、文書変換手段２１８は、その文書を翻訳するために対応するアプリケーション２２４を選択する。アプリケーション２２４は、１つの又は複数の書式を翻訳する専用のプログラムであってもよく、又はそれは事前設定書式の文書を作成することもできるプログラムの完全バージョンであってもよい。
【００４６】
更に、文書変換手段２１８は、プリント・ファイルを作成するためにどんな装置ドライバ２２０を使用するか決定するために、プリンタ仕様の適当な装置ドライバ２２０を選択するためのデータを含む部分を使用する。決定は、製造業者及び、プリンタのモデル及び／又はプリンタのプラグ・アンド・プレイ（Ｐｌｕｇａｎｄ　Ｐｌａｙ）装置ＩＤを定めるデータに基づくことができる。
【００４７】
そこで、変換手段は、リクエストされた文書を目標プリンタが使用することのできるプリンタ・ファイルに変換するために、選択されたアプリケーション２２４と選択された装置ドライバ２２０を使用する。
【００４８】
制御手段２１４はまた、プリント・ファイルを送信することになるルートについてプリンタ仕様を検査する。例えば、仕様は、電子メール・アドレス、通信装置のＩＰアドレス、又はセルラ電話への復帰アドレスを含むことができる。
【００４９】
制御手段２１４は、送信プリント・ファイル手段２２２にルートの情報、例えば、アドレス、及びプリント・ファイルを供給する。次いで、送信プリント・ファイル手段２２２は、プリント・ファイルをリクエストされたルートを経由して目標プリンタへ送信する。
【００５０】
図６は、短距離通信リンク２０を経由して表示ユニット仕様をリクエストしかつ受信し、及び無線電話ネットワークを経由して文書リクエストを送信するように構成されたセルラ電話１００を示す。このセルラ電話は、タッチ・スクリーン又はディスプレイ、及びキーパッドを含むユーザ・インタフェース１１０を具備したＷＡＰ動作可能セルラ電話である。ユーザ・インタフェースは情報ブラウザ手段１１２に接続され、このブラウザ手段は、ＷＡＰ標準に従って、ユーザ・インタフェース１１０での事象に応答してネットワーク上の情報を拾い読みする。情報ブラウザは、中央処理装置（Ｃｅｎｔｒａｌ　Ｐｒｏｃｅｓｓｉｎｇ　Ｕｎｉｔ；　ＣＰＵ）によって処理されるプログラムとして実施される。短距離通信リンクを経由する通信は、ＣＰＵ１１４に接続された、好適には、Ｂｌｕｅｔｏｏｔｈを実施する短距離通信インタフェース１１６によって行われる。無線電話ネットワーク１４を通じる通信用に、セルラ電話は、セルラ電話用普通インタフェース１１８を具備する。
【００５１】
本発明に従う通信装置３００の２つの実施の形態を示す図７ａと７ｂをここで参照する。通信装置３００の両実施の形態は、通信装置３００のプロセスを取り扱う中央処理装置３０２（ＣＰＵ）を具備する。それらは、短距離通信リンク２０を経由する通信用インタフェース３０４及びプリンタ３８０を接続するためのインタフェース３０６を具備する。図７ａに従う通信装置３００は、図４のルートに従って、短距離通信リンク２０を経由してプリント・ファイルを受信するように構成されている。図７ｂに従う通信装置３００は、図２又は図３のルートに従って、ネットワーク１０を経由してプリント・ファイルを受信するように構成されている。したがって、図７ｂの通信装置３００は、ネットワーク１０を通じる通信用追加インタフェース３０８を具備する。通信装置３００の両実施の形態は、各通信装置３００のインタフェースを経由する通信用プロトコルを具備する。
【００５２】
電話を経由してプリント・サービス装置に供給されたプリンタ仕様の主目的は、プリンタがプリントすることができるのはどんな書式か識別すること及びプリンタに到着するように送信されるためにファイルが取るのはどんなルートか識別することである。これらの目的のために、プリント・ファイルは、製造業者とプリンタのモデルに関するデータ、及びプリント・ファイルを送信する先のアドレスを含む。プリンタ仕様は、例えば、下に表示したもののようなテキスト・ファイルであり得る。すなわち、
【００５３】
2004500632.tif 000003
【００５４】
上掲の仕様の中で、例えば、プリンタ製造業者のデータは、＜ＰｒｉｎｔｅｒＭａｎｕｆａｃｔｕｒｅｒ＞と＜／ＰｒｉｎｔｅｒＭａｎｕｆａｃｔｕｒｅｒ＞との間に位置させられることになっている。
【００５５】
いま、巡回サービス技術者が世界サービスするかつ修理する（ｗｏｒｌｄ　ｓｅｒｖｉｃｉｎｇ　ａｎｄ　ｒｅｐａｉｒｉｎｇ）工業ロボットを回って巡回中であると想定する。任務（ａｓｓｉｇｎｍｅｎｔ）中、彼は彼が余り馴れていない或る１つのロボットの誤動作に出会う。それで、彼はそのロボットの資料書類（ｄｏｃｕｍｅｎｔａｔｉｏｎ）を必要とする。その資料書類を取り寄せるために、彼は、本発明の好適実施の形態に従うプリンタ・サーバを有するプリンタを捜し求める。彼は、彼のセルラ電話をまた使用しかつそれに本発明に従うサービスを提供している通信装置について近くの環境を検査するように命令することがまたできる。
【００５６】
図１と８を参照して、そのサービス技術者が通信装置３００の位置を捜し出すと、彼は彼のＷＡＰ動作可能セルラ電話１００を使用して、インターネット１０へのＷＡＰゲートウェイ１２を提供する運用者に接続する、すなわち、ステップ５１０。次いで、電話１００のディスプレイ上にＷＡＰページが表示され、すなわち、ステップ５１２、この表示から彼はディスプレイ上に表示されたリンクを選択することによって、すなわち、ステップ５１４によって、リンクされたＷＡＰページのウェブを拾い読みすることができる。リンクが選択される都度、電話１００は、リンクが他のＷＡＰページを指摘しているか否か検査する、すなわち、ステップ５１６。リンクが他のＷＡＰページを指摘するならば、そのページがダウンロードされかつディスプレイ上に表示され、すなわち、ステップ５１２、かつ手順が繰り返される、すなわち、ステップ５１２〜５１６。既知ＷＡＰページを得ることもまた、それのアドレスを電話１００に記憶させ、次いでそれを選択することによって、又は簡単に電話１００の情報ブラウザ内にそのアドレスを打ち込むことによって、可能である。
【００５７】
上述の方法の１つで、サービス技術者は、表示されるのを彼が必要とする文書へのリンクを含む情報ページを得る、すなわち、ステップ５１２。さて、彼は、その文書へのリンクを選択する、すなわち、ステップ５１４、その文書はＷＡＰページではない。電話１００は、そのリンクがＷＡＰページを指摘するかどうか検査し、すなわち、ステップ５１６、かつそれがそうでないことを見付け出す。次いで、電話１００は、プリント／ダウンロード対話を表示する、すなわち、ステップ５１８。サービス技術者がダウンロードを選択すならば、その文書を、例えば、短距離通信リンクを経由して、近くのコンピュータへダウンロードすることができる、すなわち、ステップ５２２。しかしながら、彼がプリントを選択するならば、電話１００は、短距離通信インタフェースを経由して短距離通信２０に関して電話１００の到達内の全ての通信装置３００に識別性リクエストを放送する、すなわち、ステップ５２４。リクエストに応答がないならば、エラー・メッセージがディスプレイで表示され、すなわち、ステップ５２８、利用可能な適合性通信装置３００がないことを示す。次いで、電話１００は、ステップ５１２に復帰し、再びＷＡＰページを表示する。リクエストに応答する１つ以上の通信装置３００があるならば、それれらの通信装置３００がディスプレイ上に表示される、すなわち、ステップ５３０。次いで、サービス技術者は、表された通信装置３００の１つを選択することを動作可能とされる、すなわち、ステップ５３０。１つの通信装置３００が選択されると、電話１００は、選択された通信装置３００へプリンタ仕様に対するリクエストを送信する、すなわち、ステップ５３４。その通信装置３００はプリンタ仕様を返送し、これが電話１００に受信される、ステップ５３６。次いで、選択されたリンクによって与えられた文書アドレス、及びプリンタ仕様を含むプリント・リクエストが、無線電話ネットワーク１４を経由して、情報サービス・プロバイダ２００のプリント・サービス装置２１０へ送信される、すなわち、ステップ５３８。
【００５８】
ここで、図１と図９を参照して、プリント・リクエストはプリント・サービス装置２１０に受信される、すなわち、ステップ６０２。装置２１０は、リクエストの異なった部分、例えば、１つの文書アドレスと１つのプリンタ仕様を識別し、すなわち、ステップ６０４、かつプリントされることになっている文書を検索するために文書アドレスを使用する、すなわち、ステップ６０６。次いで、検索された文書の書式が、上に説明したように、識別される、すなわち、ステップ６０８。文書の書式が確立されると、プリント・サービス装置２１０は、この情報及びリクエスト内の表示ユニット仕様を使用して、文書を選択されたプリンタに適したプリント・ファイルに変換するために、文書を翻訳する適当なアプリケーション及びプリンタ仕様の情報に対応する装置ドライバを見付ける、すなわち、ステップ６１０。次いで、文書がプリント・ファイルに変換される、すなわち、ステップ６１２。
【００５９】
いま、プリント・ファイルは、選択された通信装置へ送信される準備を完了している。しかしながら、プリント・ファイルが送信される前に、プリント・サービス装置は、プリンタ仕様に与えられたアドレスに従って送信方法を選択する、すなわち、ステップ６１４。その後、プリント・ファイルは、上に説明したルートの１つを経由して通信装置へ送信される、すなわち、ステップ６１６。
【００６０】
図１と図１０ａを参照して、通信装置３００が電話１００と短距離通信２０用インタフェースを経由して又は直接にインターネット１０を経由してプリント・ファイルを受信するように構成されているならば、通信装置３００はプリント・ファイルを受信し、すなわち、ステップ７０２、かつそれをプリントするためにプリンタに渡す、すなわち、ステップ７０４。
【００６１】
図１と図１０ｂを参照して、通信装置３００が電子メールを介してプリント・ファイルを受信するように構成されているならば、通信装置は所定時間間隔で電子メール・サーバを検査することができる、すなわち、ステップ７１２。新電子メールが表示されるならば、すなわち、ステップ７１４、通信装置３００は、その電子メールを検索し、ステップ７１６、かつその後、電子メールからプリント・ファイルを抽出する、すなわち、ステップ７１８。プリント・ファイルが抽出されると、それはプリントするためにプリンタ３８０へ渡される、すなわち、ステップ７２０。
【００６２】
ここで、サービス技術者は、プリンタから文書を取り上げかつロボットの修理を開始する。
【００６３】
図１１は、システムの装置間及びセルラ電話とユーザとの間の通信の例を示す。ユーザは、セルラ電話のＷＡＰブラウザを開始させる、すなわち、事象９０２。次いで、彼は、電話を情報サービス・プロバイダに接続する、すなわち、事象９０４。電話は、接続リクエスト９０６を情報サービス・プロバイダへ送信する。応答して、情報サービス・プロバイダは、ユーザの認証について認証リクエスト９０８を電話へ送信する。ユーザは、ＰＩＮコードを電話に打ち込み、すなわち、事象９１０、かつ電話はＰＩＮコードと加入者のＳＩＭコードを認証メッセージ９１２として情報サービス・プロバイダへ渡す。情報サービス・プロバイダがユーザを許容したとき、それは初期ＷＡＰページ９１４を電話へ送信する。それで、ユーザは情報サービス・プロバイダの情報を拾い読みするために、すなわち、事象９１６のために電話上に表示されたページ上でリンクを選択することができる。拾い読み中、電話は選択されたリンクに従ってページをリクエストする一方、情報プロバイダはリクエストされたページを送信することによって応答する。これは、９１８の双方向通信に相当する。ユーザがＷＡＰページでない文書へのリンクを選択するとき、すなわち、事象９２０、電話はプリント対話、すなわち、事象９２２を表示する。ユーザがプリンティングを開始すること、すなわち、事象９２４を選択するならば、電話は、メッセージ９２６を、例えば、Ｂｌｕｅｔｏｏｔｈを実施する短距離通信インタフェースを経由して、本発明に対して通信装置として動作する能力のある全ての通信装置に放送する。次いで、前記通信装置は、識別情報を含むメッセージ９２８を送信することによってリクエストに応答する。次いで、応答する２つ以上の識別された通信装置があるならば、ユーザは、それらの１つを選択するようにプロンプトされる。１つだけが識別されるならば、ユーザはその１つを選択するか又は動作を放棄しなければならない。或る１つの通信装置が選択されるならば、電話はその選択された通信装置へプリンタ仕様についてリクエスト９３２を送信する。選択された通信装置は、プリンタ仕様９３４を電話へ返送することによって応答する。その後、電話は、指定されたプリンタでの文書のプリンティングに関して情報サービス・プロバイダへ、プリンタ仕様と文書アドレスを含むリクエスト９３６を送信する。リクエストは、プリント可能な書式への文書の変換のため及び変換された文書を選択されたプリンタへ送信するために、情報サービス・プロバイダのプリント・サービス装置へ渡される、すなわち、事象９３８。文書が変換されるときかつもしエラーが起こらないならば、プリント・サービス装置は、例えば、電子メールを介して、プリント・ファイル９４０を通信装置へ送信する。プリント・ファイルが送信されるとき、情報サービス・プロバイダは、変換が成功したというメッセージ９４２を得る。もし変換が失敗したならば、情報サービス・プロバイダは、変換が失敗したというメッセージ９４２を得る。メッセージは、９４４に沿って電話に渡され、電話はそれをユーザに表示する。
【００６４】
本発明は、ハンドヘルド装置での電子メールの受信を容易にするために使用することもできる。今日、あなた方のＰＤＡ又は移動電話に、ショート・メッセージ・システム（Ｓｈｏｒｔ　Ｍｅｓｓａｇｅ　Ｓｙｓｔｅｍ；　ＳＭＳ）、ＷＡＰ、ｉモード等を経由して、電子メールを受信することは可能である。しかしながら、ハンドヘルド装置は、例えば、ＣＰＵ性能、メモリ寸法、解像度、及びディスプレイの寸法に関して、限定された資源を具備する。それゆえ、このような限定された資源を有するハンドヘルド装置内で複雑な又は大形電子メール・アタッチメント（ａｔｔａｃｈｍｅｎｔ）を眺めることは、可能であったとしても、困難である。
【００６５】
図１２は、本発明の１実施の形態に従う情報サービス・プロバイダ２００を示す。この実施の形態の情報サービス・プロバイダ２００は、電子メール・アカウント及び前記電子メール・アカウントの電子メール・アドレスへ送信された電子メールを管理するように構成されている。この実施の形態の情報サービス・プロバイダは、電子メールを受信し、電子メールとその電子メールに伴うアタッチメントを記憶し、かつ、リクエストの際、或るアカウントの記憶した電子メールをそのアカウントの電子メールを眺める許可を有する人に表示するように構成されている。
【００６６】
電子メールを受信すると、前記情報サービス・プロバイダ２００は電子メールのテキストを電子メール記憶手段２３２に記憶し、同プロバイダはアタッチメント（ａｔｔａｃｈｍｅｎｔ／ａｔｔａｃｈｍｅｎｔｓ）を、もしあれば、アタッチメント記憶手段２３４に記憶し、かつプロバイダは記憶されたそのメールに含まれたことごくのアタッチメントへのポインタを電子メールのテキストに記入する。本発明の好適実施の形態では、アタッチメントへのポインタは、ユニフォーム・リソース・ロケータ（Ｕｎｉｆｏｒｍ　Ｒｅｓｏｕｒｃｅ　Ｌｏｃａｔｏｒ；　ＵＲＬ）のようなアドレスである。アタッチメントへのポインタがＵＲＬであるならば、それは、例えば、次の体裁を有する。すなわち、
【００６７】
2004500632.tif 000004
【００６８】
電子メールの表示に対するリクエストを受信すると、前記情報サービス・プロバイダ２００は、リクエストされた電子メールのテキストの表示をその表示をリクエストしたハンドヘルド装置１００へ送信する。送信されるテキストの表示は、いかなるアタッチメントも含ないが、しかしその電子メールに属するアタッチメントへのポインタは含む。それで、ユーザは、この明細書で先に説明したいずれかの技術を利用することによってハンドヘルド装置１００によって近くの表示ユニット３８０にアタッチメントを表示させることができる。
【００６９】
アッタチメントを含む電子メール全体をプリントするために、ハンドヘルド装置１００はメニュー又は表示ボタンを含み、これは情報の表示のための上述したプロセスを開始させる。ハンドヘルド装置内で現在眺められる又はポインタやリンクによってハンドヘルド装置１００のディスプレイ上で指示された、電子メール全体のプリンティングに対するリクエストに応答して、ハンドヘルド装置１００は、電子メールとそのアタッチメントの内容を検査し、かつ本発明の先に説明した実施の形態に従う表示のために、その電子メールとそのアタッチメントのアドレスを送信する。他の実施の形態では、ハンドヘルド装置１００は、電子メールのテキストとアタッチメントへのポインタを含む、電子メール全体を表示ユニット３８０の通信装置３００へ転送する。次いで、通信装置３００は、電子メールとそのアタッチメントの表示を管理する。電子メールだけが普通テキストにありかつ表示ユニットがプリンタ３８０であるならば、通信装置３００は、先に説明したプリント・サービスを利用しないで済む。なぜならば、ほとんどのプリンタはそれらのファイルを他の書式に変換させることなく普通テキストをプリントすることができるからである。
【００７０】
安全を保証するために、ＨＴＴＰ又は他の安全保証チャネルをアタッチメント又は電子メールの転送に使用することができる。
【００７１】
図１３は、ハンドヘルド装置、例えば、セルラ電話又はＰＤＡから電子メールと電子メールのアタッチメントをプリントする１実施の形態の流れ図を示す。ユーザは、ユーザに電子メール・サービスを提供する情報サービス・プロバイダにアクセスしかつ新電子メール・テキストをその電話にダウンロードする、すなわち、ステップ１００２。
【００７２】
それで、ユーザは、電子メールのテキストを読み出しかつその電子メールのテキストとおそらくアッタッチメントをプリントするかどうか決定することができる、すなわち、ステップ１００４。ユーザがプリント動作を開始したいのでないならば、ユーザは電話の電子メール・インタフェースに復帰し、すなわち、ステップ１００２、かつ次の電子メールをダウンロードすることができる。しかしながら、ユーザがプリントしたいならば、ユーザはメニュー内の「Ｓｅｎｄ　Ｍａｉｌ」を選択するか又はボタンを押す、すなわち、ステップ１００６。
【００７３】
次いで、ユーザは、転送方法としてＢｌｕｅｔｏｏｔｈを選択する、すなわち、ステップ１００８。電話は、識別に対するリクエストをｂｌｕｅｔｏｏｔｈ信号の到達内にある全てのｂｌｕｅｔｏｏｔｈ動作可能装置へ放送する。リクエストに応答しているｂｌｕｅｔｏｏｔｈ動作可能装置がないならば、電話は電子メール・インタフェースに復帰する、すなわち、ステップ１００２。リクエストに１つ又は複数の応答があるならば、電話は応答している装置がプリンタであるか否か検査しなければならない、すなわち、ステップ１０１２。応答している装置の１つもプリンタでないならば、電話は電子メール・インタフェースに復帰する、すなわち、ステップ１００２。応答している１つ以上の装置がプリンタであるならば、ユーザはそれらの１つを選択しかつデータ転送を開始することができる、すなわち、ステップ１０１４。
【００７４】
プリンタの通信装置は、電子メールのテキストとあり得るアタッチメントへのポインタを含むデータを受信する。次いで、通信装置は、プリンタに電子メールのテキストをプリントすることを命じる、すなわち、ステップ１０１６。本発明の１実施の形態では、電話は、ユーザが、多数の表示の間で、例えば、電子メール・テキストと全てのアタッチメントの表示、アタッチメントだけの表示、電子メール・テキストだけの表示、特定アタッチメントの表示、等々の間で選択することを可能にする。
【００７５】
次いで、通信装置は、受信されたデータがアタッチメントへのいずれかのポインタを含んでいたかどか検査する、すなわち、ステップ１０１８。ポインタが存在しないならば、プリント・ジョブは完結されるが、しかしデータが１つ以上のアタッチメントへのポインタを含むならば、通信装置はそれらをプリント可能な書式でダウンロード／リクエストしかつプリンタにそれらをプリントすることを命じる、すなわち、ステップ１０２０。アタッチメントのポインタが初めに変形（ｔｒａｎｓｆｏｒｍ）されることなくプリント可能であるアタッチメントを指しているならば、通信装置はそれを直接にダウンロードする、しかしアタッチメントの書式が変形なくしてはプリント可能でないならば、上に説明したように、リクエストがプリント・サービスへ送信され、かつプリント・サービスがそのアタッチメントを変形するように命じられる。
【図面の簡単な説明】
【図１】
本発明の好適実施の形態の概略図である。
【図２】
表示ユニット用１好適通信装置を利用する本発明の好適実施の形態の概略図である。
【図３】
表示ユニット用他の好適通信装置を利用する本発明の好適実施の形態の概略図である。
【図４】
表示ユニット用なお他の好適通信装置を利用する本発明の好適実施の形態の概略図である。
【図５】
本発明の好適実施の形態に従う表示リクエストを取り扱う装置の概略図である。
【図６】
本発明の好適実施の形態に従うハンドヘルド装置の概略図である。
【図７ａ】
表示ユニット用通信装置の１実施の形態の概略図である。
【図７ｂ】
表示ユニット用通信装置の他の実施の形態の概略図である。
【図８】
本発明の好適実施の形態に従うハンドヘルド装置内のプロセスの流れ図である。
【図９】
本発明の好適実施の形態に従う表示リクエストを取り扱う装置内のプロセスの流れ図である。
【図１０ａ及びｂ】
本発明の好適実施の形態における表示ユニット用通信装置内のプロセスの流れ図である。
【図１１】
本発明の１実施の形態に従うシステムの異なったユニット間に送信される信号にわたる線図である。
【図１２】
情報サービス・プロバイダが電子メールを取り扱う本発明の１実施例の概略図である。
【図１３】
ハンドヘルド装置によって電子メールと電子メール・アタッチメントをプリントするプロセスの流れ図である。
【図１】
2004500632.tif 000005
【図２】
2004500632.tif 000006
【図３】
2004500632.tif 000007
【図４】
2004500632.tif 000008
【図５】
2004500632.tif 000009
【図６】
2004500632.tif 000010
【図７ａ】
2004500632.tif 000011
【図７ｂ】
2004500632.tif 000012
【図８】
2004500632.tif 000013
【図９】
2004500632.tif 000014
【図１０ａ】
2004500632.tif 000015
【図１０ｂ】
2004500632.tif 000016
【図１１】
2004500632.tif 000017
【図１２】
2004500632.tif 000018
【図１３】
2004500632.tif 000019
【国際公開パンフレット】
2004500632.tif 000020
2004500632.tif 000021
2004500632.tif 000022
2004500632.tif 000023
2004500632.tif 000024
2004500632.tif 000025
2004500632.tif 000026
2004500632.tif 000027
2004500632.tif 000028
2004500632.tif 000029
2004500632.tif 000030
2004500632.tif 000031
2004500632.tif 000032
2004500632.tif 000033
2004500632.tif 000034
2004500632.tif 000035
2004500632.tif 000036
2004500632.tif 000037
2004500632.tif 000038
2004500632.tif 000039
2004500632.tif 000040
2004500632.tif 000041
2004500632.tif 000042
2004500632.tif 000043
2004500632.tif 000044
2004500632.tif 000045
2004500632.tif 000046
2004500632.tif 000047
2004500632.tif 000048
2004500632.tif 000049
2004500632.tif 000050
2004500632.tif 000051
2004500632.tif 000052
2004500632.tif 000053
2004500632.tif 000054
2004500632.tif 000055
2004500632.tif 000056
2004500632.tif 000057
2004500632.tif 000058
2004500632.tif 000059
2004500632.tif 000060
2004500632.tif 000061
2004500632.tif 000062
2004500632.tif 000063
2004500632.tif 000064
2004500632.tif 000065
2004500632.tif 000066
2004500632.tif 000067
2004500632.tif 000068
2004500632.tif 000069
【手続補正書】
【提出日】平成13年6月19日(2001.6.19)
【手続補正１】
【補正対象書類名】明細書
【補正対象項目名】請求項２９
【補正方法】変更
【補正の内容】
【請求項２９】
表示ユニット用通信装置に関する方法であって、
短距離接続を経由して前記通信装置の識別を送信するステップと、
前記識別を送信した後、前記表示ユニットによる表示のために文書を受信するステップと
含む方法。
【国際調査報告】
2004500632.tif 000070
2004500632.tif 000071